(57)【要約】【課題】  グループ番号を階層化させ、各階層に受信局情報を付加して各階層を意味付けすることで、グループ番号を一度データに付加するのみで基地局の数に影響されることなく複数のグループにもデータを送信でき、通信効率を向上させるデジタル無線システムを提供する。【解決手段】  管理部１は、地域，地区情報を示す２つの数字と、業務情報を示す２つの数字に分けられた４桁の数字で形成されるグループ番号を設定し、各２つの数字を上位層と下位層として階層に設定し、各階層の数字を、例えば地域や地区、メイン業務やサブ業務を示す情報として意味付ける。移動局４は、グループ番号と同様の構成である識別番号を設定する。管理部１は、移動局４にデータを送信する際、データにグループ番号を付加して、送信する。移動局４は、データが自局宛かを判別するために、識別番号と、グループ番号を、１桁ずつ一致するか判別し、全ての桁が一致した際に、データを出力する。【選択図】      図１
2009077077.tif 000002
【特許請求の範囲】
【請求項１】
基地局を介して前記基地局の通信エリア内にて複数のグループの何れかにデータを送信するデジタル無線システムであって、
前記データをどの前記グループに出力させるかを示す情報であり、前記グループ毎に異なるように複数の桁によって形成されるグループ番号の前記桁毎の数字と、前記数字に対して予め付加されている前記グループを示す情報を対応して記憶する記憶部と、
前記データが送信される際に、前記情報に対応する前記数字を前記桁毎に選択することで、前記グループ番号を設定する設定部と、
前記設定部によって設定された前記グループ番号を前記データに付加する付加部と、
前記付加部によって前記グループ番号を付加された前記データをＳＣＰＣ方式を用いて前記基地局を介して前記グループに送信する送信部と、
を具備することを特徴とするデジタル無線通信システム。
【発明の詳細な説明】
【技術分野】
【０００１】
本発明は、基地局の圏内に配置されている移動局がグループ分けされ、ＳＣＰＣ方式を用いて無線通信を行う際に、グループ毎に割り振られるグループ番号を階層化し、各階層を意味付けするデジタル無線通信システムに関する。
【背景技術】
【０００２】
一般に、デジタル無線システムには、音声や文字などのデータを伝送する各チャネルのそれぞれに１つのキャリアを割り当てる一波単信方式（ＳＣＰＣ：Ｓｉｎｇｌｅ  Ｃｈａｎｎｅｌ  Ｐｅｒ  Ｃａｒｒｉｅｒ）が用いられている。ＳＣＰＣ方式のデジタル無線システムは、例えば狭帯域デジタル通信方式標準規格ＡＲＩＢ  ＳＴＤ−Ｔ６１に示されている。
【０００３】
例えば管理部と接続している基地局と移動局で無線通信が行われる際、例えば上述したＳＣＰＣ方式のデジタル無線システムが用いられる。その際、一般に基地局の無線通信エリアは、例えば無線通信エリアＡ，Ｂというように複数にグループ分けされている。例えば無線通信エリアＡに配置される複数の移動局をグループＡ、無線通信エリアＢに配置される複数の移動局をグループＢとする。このような状態において無線通信は、管理部と基地局を介してグループＡ，Ｂに配置される移動局と、またはグループＡに配置される移動局と基地局を介してグループＢに配置される移動局と、の間で行われる。
【０００４】
各移動局は、予めどのグループに配置（所属）されているかを示す識別番号を設定する。また各グループには、予めそれぞれ異なる番号（以下、グループ番号）が割り振られている。グループ番号は、例えば４桁の数字や記号や英字や文字などによって形成されている。
【０００５】
例えば送信局である管理部が、例えば基地局を介してグループＡに配置される全ての移動局に音声データを送信する際、音声データに、グループＡのグループ番号を付加し、一般にグループＡ，Ｂ両方に送信する。受信局であるグループＡ，Ｂに配置される移動局は、音声データを受信した際、グループ番号と識別番号が一致した際、音声を出力する。この場合、グループＡに配置される移動局のみが音声を出力することができる。
【０００６】
上述したＳＣＰＣ方式を用いる無線通信システムにおいて、例えば特許文献１には、各移動局に個別番号を付して、また複数の移動局にグループを分けて、各グループにグループ番号付して、個別番号やグループ番号を用いて、基地局や相手からのメッセージを録音させるように移動局を制御する無線通信システムが開示されている。
【０００７】
また例えば特許文献２には、複数のグループを対象としてグループ通信が可能なデジタル無線システムが開示されている。
【特許文献１】特開２００７−０９６４０９号公報
【特許文献２】特開２００７−０６０３８５号公報
【発明の開示】
【発明が解決しようとする課題】
【０００８】
上述したグループ番号は、グループ毎に割り振られているのみであるため、グループを指定する以外の予め設定された情報を含んでいない（意味づけがされていない）。この情報とは、例えば、グループ番号が付されたデータが、例えばグループ内の特定の地域や、この地域内に配置される特定の地区に配置される移動局や、特定の業務に携わる移動局に送信されることを示す情報である。
【０００９】
そのため送信局である管理部は、例えば同じ内容の音声データを、上述したグループＡとグループＢにそれぞれ送信する際、管理部は、音声データにグループＡのグループ番号を付加して送信した後、グループＢのグループ番号を音声データに付加して送信する必要がある。このように複数のグループにデータを送信する際、送信する度に、グループ番号を付加する必要があるため手間がかかり、通信効率が低下してしまう。
【００１０】
また複数の基地局が配置され、各基地局におけるグループのグループ番号がそれぞれ異なると、所望なグループにそれぞれデータを送信する際、上述したように手間がかかる。このように基地局が多いほど、手間がかかり、通信効率が低下してしまう。
【００１１】
そのため本発明は、グループ番号を階層化させ、各階層に受信局情報を付加して各階層を意味付けすることで、グループ番号を一度データに付加するのみで基地局の数に影響されることなく複数のグループにもデータを送信でき、通信効率を向上させるデジタル無線システムを提供することを目的とする。
【課題を解決するための手段】
【００１２】
本発明は目的を達成するために、基地局を介して前記基地局の通信エリア内にて複数のグループの何れかにデータを送信するデジタル無線システムであって、前記データをどの前記グループに出力させるかを示す情報であり、前記グループ毎に異なるように複数の桁によって形成されるグループ番号の前記桁毎の数字と、前記数字に対して予め付加されている前記グループを示す情報を対応して記憶する記憶部と、前記データが送信される際に、前記情報に対応する前記数字を前記桁毎に選択することで、前記グループ番号を設定する設定部と、前記設定部によって設定された前記グループ番号を前記データに付加する付加部と、前記付加部によって前記グループ番号を付加された前記データをＳＣＰＣ方式を用いて前記基地局を介して前記グループに送信する送信部と、を具備することを特徴とするデジタル無線通信システムを提供する。
【発明の効果】
【００１３】
本発明によれば、グループ番号を階層化させ、各階層に受信局情報を付加して各階層を意味付けすることで、グループ番号を一度データに付加するのみで基地局の数に影響されることなく複数のグループにもデータを送信でき、通信効率を向上させるデジタル無線システムを提供することができる。
【発明を実施するための最良の形態】
【００１４】
以下、図１及び図８を参照して本発明の実施形態について詳細に説明する。  
なお、本発明の実施形態では、例えば狭帯域デジタル通信方式標準規格（ＡＲＩＢ  ＳＴＤ−Ｔ６１）で定めるＳＣＰＣ方式デジタル無線システムを例として説明するが、これに限定されるものではなく、他の無線通信システムにも適応できる。
【００１５】
図１は、本発明のデジタル無線システムの概略構成を示す図である。デジタル無線システムは、管理部１と、回線交換部２（２ａ，２ｂ）と、基地局３（３ａ，３ｂ）と、例えばタクシーなどの移動局４（４ａ，４ｂ・・・４ｗ，４ｘ）から構成される。管理部１は回線交換部２と接続し、回線交換部２は基地局３と接続し、管理部１と回線交換部２と基地局３の間では、有線によって通信が行われている。基地局３と移動局４の間では、ＳＣＰＣ方式を用いた無線信号Ｆ１，ｆ１（例えば、上り方向無線キャリアｆ１、下り方向無線キャリアＦ１のペア波）によって通信が行われている。この通信とは、例えば文字や音声などのデータを送受信するデータ通信である。
【００１６】
なお基地局３と、移動局４は、少なくとも１つ以上によって構成されており、本実施形態では簡略化のために図１に示すように、基地局３は２つのみ図示している。基地局３ａ，３ｂの通信エリアを通信エリア５ａ，５ｂとする。通信エリア５ａと通信エリア５ｂは、図示しない回線を介して接続することで、互いに通信可能である。回線交換部２ａと回線交換部２ｂは、通信エリア５ａと通信エリア５ｂを接続するこの図示しない回線を制御する回線制御装置でもある。基地局３ａと基地局３ｂは、略同一な構成である。なお移動局４とは、全ての移動局を示すものとする。
【００１７】
また本実施形態における通信は、例えば管理部１と基地局３ａ，３ｂの通信エリア５ａ，５ｂ内に配置されている移動局４との間、または同じ通信エリア内の移動局４同士、または例えば通信エリア５ａ内に配置される移動局４ａと基地局３ａ，３ｂと回線交換部２ａ，２ｂを介して通信エリア５ｂ内に配置される移動局４ｃ間、にて行われる。
【００１８】
図２は、管理部１の内部構成を示す概略図である。管理部１は、送受信部１０と指令卓２０を有している。  
送受信部１０は、例えばデータや後述するグループ番号を付加されたデータ等や後述する識別番号を回線交換部２ａ，２ｂから受信する受信部１１と、例えばデータや後述するグループ番号を付加されたデータ等を回線交換部２ａ，２ｂを介して基地局３ａ，３ｂに送信する送信部１２と、を有している。このデータは、上述したようにＳＣＰＣ方式を用いて基地局３ａ，３ｂと各移動局４の間で送受信される。
【００１９】
指令卓２０は、表示部２１と、出力部２２と、操作部２３と、入力部２４と、制御部２５を有している。  
表示部２１は、受信部１１にて受信した例えば文字などのデータを表示するモニタ等である。出力部２２は、受信部１１にて受信した例えば音声などのデータを出力する例えばスピーカ等である。操作部２３は、回線交換部２ａ，２ｂに送信する例えば文字などのデータを入力のための操作を行う。また操作部２３は、データを送信する際に後述するグループ番号の桁毎に数字を選択し、グループ番号を設定するための操作を行う設定部でもある。操作部２３が、グループ番号を設定する動作は図４と図５を用いて後述する。入力部２４は、回線交換部２ａ，２ｂに送信する例えば音声などのデータを入力する例えばマイクなどである。
【００２０】
制御部２５は、記憶部２６と、判別部２７と、制御本体部２８を有している。  
記憶部２６は、図５に示すグループ番号の桁毎の数字と数字に対応する意味（数字に対して予め付加されているグループを示す情報）の対応関係を格納するデータベースと、図６に示す各移動局４と各移動局４の識別番号の対応関係を格納するデータベースを記憶する。記憶部２６は、図６に示すデータベースを用いて、各移動局４と各移動局４の識別番号の対応関係を管理する。判別部２７は、データを受信した際に、データに付加されているグループ番号と識別番号が一致するかを判別する。判別部２７は、この判別を桁毎に行い、これにより管理部１はデータが自局宛か否かを判別する。制御本体部２８は、表示部２１と、出力部２２と、操作部２３と、入力部２４と、記憶部２６と、判別部２７を制御し、基地局３ａ，３ｂを管理し、基地局３ａ，３ｂと移動局４および移動局４間の通信接続サービスを行う。また制御本体部２８は、データが送信される際、グループ番号をデータに付加する付加部である。
【００２１】
図３は、移動局４の内部構成を示す概略図である。移動局４は、基地局３と無線通信を行う際、無線信号Ｆ１，ｆ１を送受信するために、無線通信装置である例えばアンテナ３１と、切替部３２と、受信部３３と、送信部４０を有している。
【００２２】
また移動局４は、例えば回線交換部２ａ，２ｂと、基地局３ａ，３ｂと、アンテナ３１からグループ番号が付加されたデータをＳＣＰＣ方式を用いて受信する受信部３３と、受信部３３にて受信されたデータが後述する判別部４３によってグループ番号と識別番号が一致すると判別された際に、データに対して復調処理を行う受信処理部３４と、受信処理部３４にて復調処理が行われた例えば音声などのデータを出力する例えばスピーカといった出力部３５と、受信処理部３４にて復調処理が行われた例えば文字などのデータを表示（出力）する例えばモニタといった表示部３６を有している。
【００２３】
また移動局４は、操作部３７と、入力部３８と、送信処理部３９と、送信部４０を有している。  
操作部３７は、データを送信する際に例えば文字などのデータの入力のための操作を行う。また操作部３７は、移動局４の識別番号の各桁の数字を選択し、識別番号を設定するための操作や、データを送信する際に後述するグループ番号の桁毎に数字を選択し、グループ番号を設定するための操作を行う設定部でもある。入力部３８は、例えば音声などのデータを入力する例えばマイクなどである。送信処理部３９は、操作部３７や入力部３８から入力されたデータに対して変調処理を行う。送信部４０は、例えばデータや、制御本体部４４によってグループ番号を付加されたデータ等をＳＣＰＣ方式を用いて基地局３ａ，３ｂと回線交換部２ａ，２ｂを介して受信局（例えば管理部１）に送信する。また送信部４０は、識別番号をアンテナ３１から基地局３ａ，３ｂと回線交換部２ａ，２ｂを介して送信局である管理部１等に送信する。
【００２４】
また移動局４は制御部４１を有し、制御部４１は記憶部４２と判別部４３と制御本体部４４を有している。記憶部４２は、操作部３７によって設定された識別番号を記憶する。また記憶部４２は、自局の識別番号と、記憶部４２と同様に図５に示すデータベースと、図６に示すデータベースを記憶する。判別部４３は、データを受信した際に、データに付加されているグループ番号と識別番号が一致するかを判別する。判別部４３は、この判別を桁毎に行い、これにより移動局４はデータが自局宛か否かを判別する。制御本体部４４は、切換え部３２と受信処理部３４と出力部３５と表示部３６と操作部３７と入力部３８と送信処理部３９と送信部４０を制御する。また制御本体部４４は、データが送信される際、グループ番号をデータに付加する付加部である。
【００２５】
次に図４を参照して操作部によるグループ番号の設定方法について説明する。  
本実施形態におけるグループ番号は、データをどのグループに所属する受信局に出力させるかを示す受信局情報である。操作部２３は、グループ番号を、グループ毎に異なるように複数の桁である例えば４桁の数字（例えば図４に示す「１２３４」）を有するように設定し、グループ番号を形成している。また操作部２３は、４桁の数字を階層化させている。
【００２６】
詳細には操作部２３は、グループ番号における４桁の数字を、先の２桁の数字（「１２」）を有する第１のグループと、後の２桁の数字（「３４」）を有する第２のグループの２つに分けている。操作部２３は、第１のグループにおいて、先の２桁の数字の一方を第１の上位層とし、先の２桁の数字の他方を第１の上位層に比べて下位に位置する第１の下位層として、第１のグループを階層に設定している。また操作部２３は、第２のグループにおいて、後の２桁の数字の一方を第２の上位層とし、後の２桁の数字の他方を第２の上位層に比べて下位に位置する第２の下位層として、第２のグループを階層に設定している。このように操作部２３は、各グループにおいて、２つの桁を、それぞれ上位層と下位層とに階層化している。
【００２７】
つまりグループ番号は、上位層と下位層とに階層化されているグループ（２つの桁）を２つ有している。各上位層の数字は、各下位層の数字よりも先に配置する。例えば第１のグループにおいて、上位層の数字は「１」であり、下位層の数字は「２」である。
【００２８】
本実施形態において操作部２３は、第１のグループを例えば地域グループとし、第２のグループを例えば業務グループとして設定する。このようにグループは、例えば地域グループと業務グループに分けられている。
【００２９】
まず地域グループについて説明する。なお基地局３ａ，３ｂの構成は同じため基地局３ａを一例として説明する。図１に示す基地局３ａの通信エリア５ａには、管理部１内の操作部２３によって例えば２つの地域Ａ，Ｂが設定されている。地域Ａには、操作部２３によってさらに２つの地区ａ，ｂが設定されている。また地域Ｂにも、操作部２３によって同様に２つの地区ｃ，ｄが設定されている。通信エリア５ａ内の移動局４は、これら地区ａ，ｂ，ｃ，ｄの何れかに配置されているものとする。この場合、通信エリア５ａが地域グループになり、地域Ａ，Ｂが上位層になり、地区ａ，ｂ，ｃ，ｄが下位層となる。
【００３０】
各地域や各地区には、各地域情報や各地区情報を示す数字が操作部２３によって予め割り振られている（意味付けされている）。例えば図１と図５に示すように、地域Ａには例えば数字「１」、地域Ｂには例えば数字「２」が割り振られ、また地区ａには例えば数字「１」、地区ｂには例えば数字「２」、地区ｃには例えば数字「３」、地区ｄには例えば数字「４」が割り振られる。
【００３１】
このように操作部２３は、第１の上位層の桁の数字に、移動局４が配置される地域を示す地域情報を意味付け設定し、第１の下位層の桁の数字に、移動局４が配置される地域内の地区を示す地区情報を意味付け設定する。
【００３２】
上述したように上位層である地域Ａ，Ｂを示す数字は、地域グループにおいて、地区ａ，ｂ，ｃ，ｄを示す数字よりも先に配置される。例えばグループ番号の地域グループの桁が「１２」の場合、このグループ番号は、地域Ａ且つ地区ａを示す。  
また地域には、全ての地域情報を示す例えば数字「０」が割り振られる。また地区には、全ての地区情報を示す例えば数字「０」が割り振られる。例えばグループ番号の地域グループの桁が「１０」だと地域Ａ且つ地域Ａにおける全ての地区である地区ａ，ｂを示す。また桁が「０１」だと地域Ａ，Ｂにおける地区ａを示す。本実施形態の場合、地域Ｂに地区ａはないため、地域Ａにおける地区ａを示す。このように数字「０」は、例えば全ての地域、または全ての地区に配置される移動局４に一斉にデータを送信する際に用いられる。
【００３３】
次に業務グループについて説明する。この業務グループには、操作部２３によって例えば２つのメイン業務Ａ，Ｂが設定されている。メイン業務Ａには、２つのサブ業務ａ，ｂが操作部２３によって設定されている。またメイン業務Ｂにも、２つのサブ業務ｃ，ｄが操作部２３によって同様に設定されている。移動局４は、これらサブ業務ａ，ｂ，ｃ，ｄの何れかに携わっているものとする。この場合、メイン業務Ａ，Ｂが上位層になり、サブ業務ａ，ｂ，ｃ，ｄが下位層となる。
【００３４】
各メイン業務や各サブ業務には、移動局４が携わる第１の業務を示すメイン業務情報や移動局４が携わる第１の業務に含まれる第２の業務を示すサブ業務情報を示す数字が操作部２３によって予め割り振られている（意味付けされている）。例えば図１と図５に示すように、メイン業務Ａには例えば数字「１」、メイン業務Ｂには例えば数字「２」が割り振られ、またサブ業務ａには例えば数字「１」、サブ業務ｂには例えば数字「２」、サブ業務ｃには例えば数字「３」、サブ業務ｄには例えば数字「４」が割り振られる。このように各数字は、メイン業務情報やサブ業務情報を示すように意味付けされている。
【００３５】
このように操作部２３は、第２の上位層の桁の数字に、移動局４が携わるメイン業務情報を意味付け設定し、第２の下位層の桁の数字に、移動局４が携わるサブ業務情報を意味付け設定する。
【００３６】
上位層であるメイン業務Ａ，Ｂを示す数字は、業務グループにおいて、サブ業務ａ，ｂ，ｃ，ｄを示す数字よりも先に配置する。例えばグループ番号の業務グループの桁が「１２」だとメイン業務Ａ且つサブ業務ａを示す。
【００３７】
またメイン業務には、全てのメイン業務情報を示す例えば数字「０」が、割り振られる。またサブ業務には、全てのサブ業務情報を示す例えば数字「０」が、割り振られる。例えばグループ番号の業務グループの桁が「１０」だとメイン業務Ａ且つメイン業務Ａにおける全てのサブ業務であるサブ業務ａ，ｂを示す。また桁が「０４」だと、メイン業務Ａ，Ｂにおけるサブ業務ｄを示す。本実施形態の場合、メイン業務Ａにサブ業務ｄはないため、メイン業務Ｂのサブ業務であるサブ業務ｄを示す。このように数字「０」は、例えば全てのメイン業務、または全てのサブ業務に携わる移動局４に一斉にデータを送信する際に用いられる。
【００３８】
グループ番号は、上述した地域グループの数字と業務グループの数字を選択し、組み合わせ、４桁の数字を形成することで成り立つ。このような示す各桁の数字と数字に対応する意味の対応関係は、図５に示すようにデータベースに格納されている。データベースは、記憶部２６，４２にて記憶される。またグループ番号は、データを送信する送信局の操作部における操作によって、数字を選択されることで、設定（形成）される。
【００３９】
例えばグループ番号「１１１１」が送信局である管理部１の操作部２３にて設定され、データに付加されて送信された場合、地域Ａ、地区ａに配置し、メイン業務Ａ、サブ業務ａに携わる受信局である移動局４ａ，４ｂ，４ｍ，４ｎのみが、データを例えば表示部３６にて表示させることができる。  
また例えばグループ番号「１００３」が例えば送信局である管理部１の操作部２３にて設定され、データに付加されて送信された場合、地域Ａ及び、地区ａと地区ｂに配置され、メイン業務Ａとメイン業務Ｂ及び、サブ業務ｃに携わる受信局である移動局４ｄ，４ｅ，４ｐ，４ｑのみが、データを例えば表示部３６にて表示させることができる。
【００４０】
このようにグループ番号は、図４に示すように地域情報を意味付けられた数字、地区情報を意味付けられた数字、メイン業務情報を付けられた数字、サブ業務情報を付けられた数字の順で形成されており、送信したデータをどの受信局に出力させるかを示す受信局情報である。上記において操作部２３を用いたが、操作部３７によっても設定は可能である。
【００４１】
次に識別番号について説明する。  
本実施形態の識別番号は、自局が所属するグループのグループ情報を示し、より詳細には自局の配置される地域や携わっている業務等の状態を示す状態情報である。識別番号は、４桁の数字にて形成されているなど、図４に示すグループ番号と同様の構成であるため詳細な説明を省略する。また識別番号の各桁の意味もグループ番号と同様である。識別番号の各桁の数字と数字に対応する意味は、図５に示すようなデータベースに格納されている。この識別番号に関するデータベースは、記憶部２６，４２に記憶される。
【００４２】
識別番号の各桁における数字は、受信局の操作部によって設定される。受信局が移動局４の場合、識別番号は、記憶部４２に記憶され、意味付けされている数字を操作部３７によって選択されることで、設定（形成）される。
【００４３】
例えば移動局４ａ，４ｂは、図１に示すように地域Ａ、地区ａに配置され、メイン業務Ａ、サブ業務ａに携わるため、識別番号を操作部３７によって各桁にて「１」を選択することで「１１１１」と設定する。移動局４ｉは、識別番号を「２３１２」と設定する。また移動局４ｆは、地域Ａ、地区ｂに配置され、メイン業務Ａにおけるサブ業務ａ，ｂと、メイン業務Ｂにおけるサブ業務ｄに携わるため、識別番号を「１２０４」と設定する。
【００４４】
また例えば移動局４ａが、図１とは異なり、地域Ａに配置され、地区ａと地区ｂの間を移動し、メイン業務Ａ、サブ業務ａ，ｂに携わる場合、識別番号を「１０１０」と、設定する。
【００４５】
移動局毎に設定された識別番号は、基地局３ａ，３ｂと回線交換部２ａ，２ｂを介して管理部１に送信され、図６に示すよう各移動局４と各移動局４の識別番号の対応関係は、データベースに格納される。管理部１は、データベースを記憶部２６に記憶させることで管理している。なおこの対応関係は、管理部１と移動局４が無線通信を行うことで、移動局４の記憶部４２でも管理される。
【００４６】
次に本実施形態におけるデジタル無線システムの動作方法について図７と図８に示すフローチャートを参照して説明する。
【００４７】
この動作方法において、管理部１が、基地局３ａ，３ｂにおける地域Ａ、地区ａに配置され、メイン業務Ａ、サブ業務ａに携わる移動局４ａ，４ｂ，４ｍ，４ｎに音声を有するデータを送信する際の動作を一例として説明する。つまりデータを送信する送信局を管理部１とし、データを受信する受信局を移動局４ａ，４ｂ，４ｍ，４ｎとして説明する。
【００４８】
移動局４ａ，４ｂ，４ｍ，４ｎにおいて、図５に示すように記憶部４２に記憶されている数字が操作部３７によって選択され、自局の識別番号が操作部３７によって設定される（Ｓｔｅｐ１）。上記の場合、移動局４ａ，４ｂ，４ｍ，４ｎにおいて、識別番号は、「１１１１」と設定される。なお他の移動局４も同様に、それぞれ識別番号が設定される。
【００４９】
各移動局４において、設定された識別番号は、それぞれの記憶部４２に記憶され、送信部４０とアンテナ３１を介して基地局３に無線信号ｆ１によって送信される。基地局３に送信された識別番号は、回線交換部２を介して管理部１に送信される（Ｓｔｅｐ２）。
【００５０】
識別番号は、管理部１において受信部１１にて受信され記憶部２６に記憶される。管理部１は、これら各移動局４の識別番号を、図６に示すデータベースを用いて記憶部２６において管理する。
【００５１】
データが管理部１から移動局４ａ，４ｂ，４ｍ，４ｎに無線信号Ｆ１によって送信される際、図６に示すデータベースと、図５に示すデータベースが参照され、グループ番号の数字が桁毎に操作部２３によって選択され、グループ番号が設定される（Ｓｔｅｐ３）。管理部１は、移動局４ａ，４ｂ，４ｍ，４ｎにデータを送信する。そのためグループ番号は、「１１１１」と操作部２３によって設定される。
【００５２】
設定されたグループ番号は、制御本体部２８によって例えば入力部２４によって入力された音声を有するデータに付加される。グループ番号が付加されたデータは、送信部１２から回線交換部２ａ，２ｂと、基地局３ａ，３ｂを介して、ＳＣＰＣ方式を用いて基地局３ａ，３ｂの通信エリアに配置される受信局である移動局４ａ，４ｂ，４ｍ，４ｎも含めた全ての移動局４に送信される（Ｓｔｅｐ４）。つまりデータは、基地局３ａ，３ｂの地域Ａ，Ｂに配置される移動局４全てに送信されることになる。
【００５３】
移動局４において、グループ番号を付加されたデータは、回線交換部２ａ，２ｂと、基地局３ａ，３ｂと、アンテナ３１を介して受信部３３にて受信される（Ｓｔｅｐ５）。その際、データに付加されたグループ番号は、記憶部４２に記憶された識別番号と一致するか否か、判別部４３によって判別される。この判別動作は、１桁毎に行われる。
【００５４】
詳細には例えば、グループ番号の地域グループにおける地域を示す桁（上位層）の数字と、識別番号の地域グループにおける地域を示す桁（上位層）の数字が一致するか、判別部４３によって判別される（Ｓｔｅｐ６）。  
Ｓｔｅｐ６において一致した場合（Ｓｔｅｐ６：ＹＥＳ）、例えばグループ番号の地域グループにおける地区を示す桁（下位層）の数字と、識別番号の地域グループにおける地区を示す桁（下位層）の数字が一致するか、判別部４３によって判別される（Ｓｔｅｐ７）。  
Ｓｔｅｐ７において一致した場合（Ｓｔｅｐ７：ＹＥＳ）、例えば、グループ番号の業務グループにおけるメイン業務を示す桁（上位層）の数字と、識別番号の業務グループにおけるメイン業務を示す桁（上位層）の数字が一致するか、判別部４３によって判別される（Ｓｔｅｐ８）。  
Ｓｔｅｐ８において一致した場合（Ｓｔｅｐ８：ＹＥＳ）、例えば、グループ番号の業務グループにおけるサブ業務を示す桁（下位層）の数字と、識別番号の業務グループにおけるサブ業務を示す桁（下位層）の数字が一致するか、判別部４３によって判別される（Ｓｔｅｐ９）。
【００５５】
Ｓｔｅｐ９において一致した場合（Ｓｔｅｐ９：ＹＥＳ）、全ての桁が一致した、と判別部４３によって判別される。これにより、データは、受信処理部によって複号処理され、移動局４ａ，４ｂ，４ｍ，４ｎのみにおいて、例えば出力部３５から音声が出力され（Ｓｔｅｐ１０）、動作は終了する。  
またＳｔｅｐ６乃至Ｓｔｅｐ９のいずれかにおいて、一致していないと判別された場合（Ｓｔｅｐ６乃至Ｓｔｅｐ９：ＮＯ）、動作は終了する。このように１桁でも一致していないと、判別部４３によって判別されると、移動局４ａ，４ｂ，４ｍ，４ｎ以外の移動局４において、出力部３５から音声は出力されず、動作は終了となる。
【００５６】
次に上述したＳｔｅｐ６乃至Ｓｔｅｐ９における判別方法について図８を参照して説明する。Ｓｔｅｐ６乃至Ｓｔｅｐ９における各桁の判別方法は、同一であるため、Ｓｔｅｐ６における判別処理を一例として説明する。なおＳｔｅｐ６乃至Ｓｔｅｐ９の動作は、全ての移動局４にて行われる。
【００５７】
まずグループ番号の桁の数字が「０」であるかを、判別部４３によって判別される（Ｓｔｅｐ２１）。Ｓｔｅｐ６の場合、グループ番号の地域グループにおける地域を示す桁において、地域を示す桁の数字が「０」であるかを、判別部４３によって判別される。このように数字「０」は、管理部１が例えば全ての地域に配置される移動局４に一斉にデータを出力させる際に用いられる。よって移動局４の配置されている地域に関係なく、全ての移動局４が該当することになる。これによりグループ番号の数字と識別番号の数字は、一致することになる。
【００５８】
このようにグループ番号の桁の数字が「０」であると、判別部４３によって判別された場合（Ｓｔｅｐ２１：ＹＥＳ）、グループ番号と識別番号における地域グループにおける地域を示す桁が一致する、と判別部４３によって判別される（Ｓｔｅｐ２２）。これによりＳｔｅｐ６において、グループ番号の地域グループにおける地域を示す桁（上位層）の数字と、識別番号の地域グループにおける地域を示す桁（上位層）の数字が一致していると、判別部４３によって判別され（Ｓｔｅｐ６：ＹＥＳ）、Ｓｔｅｐ７に進む。
【００５９】
また、グループ番号の桁の数字が「０」ではないと、判別部４３によって判別された場合（Ｓｔｅｐ２１：ＮＯ）、識別番号の桁の数字が「０」であるかを、判別部４３によって判別される（Ｓｔｅｐ２３）。Ｓｔｅｐ６の場合、識別番号の地域グループにおける地域を示す桁の数字が「０」であるかを、判別部４３によって判別される。このように数字「０」は、移動局４が例えば地域Ａと地域Ｂの両方に配置されることを示す際に用いられる。よって識別番号の桁の数字が「０」である移動局４は、管理部１がグループ番号の桁の数字を数字「１」や「２」のどちらを選択しても、該当することになる。これによりグループ番号の数字と識別番号の数字は、一致することになる。
【００６０】
識別番号の地域グループにおける地域を示す桁の数字が「０」であると、判別部４３によって判別された場合（Ｓｔｅｐ２３：ＹＥＳ）、Ｓｔｅｐ２２に進む。
【００６１】
また識別番号の桁の数字が「０」ではない、と判別部４３によって判別された場合（Ｓｔｅｐ２３：ＮＯ）、グループ番号の桁の数字と、識別番号の桁の数字が一致するかを、判別部４３によって判別される（Ｓｔｅｐ２４）。Ｓｔｅｐ６の場合、グループ番号の地域グループにおける地域を示す桁の数字と、識別番号の地域グループにおける地域を示す桁の数字が一致するかを、判別部４３によって判別される判別する。
【００６２】
グループ番号の地域グループにおける地域を示す桁の数字と、識別番号の地域グループにおける地域を示す桁の数字が一致すると、判別部４３によって判別された場合（Ｓｔｅｐ２４：ＹＥＳ）、Ｓｔｅｐ２２に進む。
【００６３】
またグループ番号の桁の数字と、識別番号の桁の数字が一致していない、と判別部４３によって判別された場合（Ｓｔｅｐ２４：ＮＯ）、グループ番号の地域グループにおける地域を示す桁の数字と、識別番号の地域グループにおける地域を示す桁の数字が不一致と、判別部４３によって判別される（Ｓｔｅｐ２５）。これによりＳｔｅｐ６において、グループ番号の地域グループにおける地域を示す桁（上位層）の数字と、識別番号の地域グループにおける地域を示す桁（上位層）の数字が一致していないと、判別部４３によって判別され（Ｓｔｅｐ６：ＮＯ）、動作は終了する。
【００６４】
なおＳｔｅｐ２１乃至Ｓｔｅｐ２４を参照して、Ｓｔｅｐ６を説明したが、上述したようにＳｔｅｐ７においてもＳｔｅｐ２１乃至Ｓｔｅｐ２４の動作が行われる。またＳｔｅｐ８においてもＳｔｅｐ２１乃至Ｓｔｅｐ２４の動作が行われる。またＳｔｅｐ９においてもＳｔｅｐ２１乃至Ｓｔｅｐ２４の動作が行われる。このようにＳｔｅｐ６乃至Ｓｔｅｐ９には、それぞれＳｔｅｐ２１乃至Ｓｔｅｐ２４の動作が含まれ、動作が行われる。
【００６５】
例えば管理部１が上述したグループ番号「１１１１」を付した音声を有するデータを送信した際、全ての移動局４がこのデータを受信する（第１の例）。  
Ｓｔｅｐ６乃至Ｓｔｅｐ９における判別処理において、例えば識別番号「１１１１」の移動局４ａ，４ｂ，４ｍ，４ｎにおける判別部４３は、例えば、グループ番号の地域グループにおける地域を示す桁（上位層）の数字と、識別番号の地域グループにおける地域を示す桁（上位層）の数字が一致するか、判別する（Ｓｔｅｐ６）。
【００６６】
この場合、グループ番号における地域グループにおける地域を示す桁を示す数字は「１」であり、識別番号における地域グループにおける地域を示す桁を示す数字は「１」である。よってＳｔｅｐ６に含まれるＳｔｅｐ２１乃至Ｓｔｅｐ２４において、Ｓｔｅｐ２１，２３：ＮＯ、Ｓｔｅｐ２４：ＹＥＳ、と判別される。これにより、判別部４３は、グループ番号の地域グループにおける地域を示す桁（上位層）の数字と、識別番号の地域グループにおける地域を示す桁（上位層）の数字が一致する、と判別し（Ｓｔｅｐ２２：ＹＥＳ、Ｓｔｅｐ６：ＹＥＳ）、Ｓｔｅｐ７に進む。
【００６７】
Ｓｔｅｐ７において、上記同様にＳｔｅｐ２１，２３：ＮＯ、Ｓｔｅｐ２４：ＹＥＳと判別される。これにより、グループ番号の地域グループにおける地区を示す桁（下位層）の数字と、識別番号の地域グループにおける地区を示す桁（下位層）の数字が一致する、と判別部４３により判別され（Ｓｔｅｐ２２，Ｓｔｅｐ７：ＹＥＳ）、Ｓｔｅｐ８に進む。
【００６８】
Ｓｔｅｐ８において、上記同様にＳｔｅｐ２１，２３：ＮＯ、Ｓｔｅｐ２４：ＹＥＳと判別される。これにより、グループ番号の業務グループにおけるメイン業務を示す桁（上位層）の数字と、識別番号の業務グループにおけるメイン業務を示す桁（上位層）の数字が一致する、と判別部４３に判別され（Ｓｔｅｐ２２、Ｓｔｅｐ８：ＹＥＳ）、Ｓｔｅｐ９に進む。
【００６９】
Ｓｔｅｐ９において、上記同様にＳｔｅｐ２１，２３：ＮＯ、Ｓｔｅｐ２４：ＹＥＳと判別される。これにより、判別部４３は、グループ番号の業務グループにおけるサブ業務を示す桁（下位層）の数字と、識別番号の業務グループにおけるサブ業務を示す桁（下位層）の数字が一致する、と判別部４３に判別され（Ｓｔｅｐ２２、Ｓｔｅｐ９：ＹＥＳ）、Ｓｔｅｐ１０に進む。  
これにより移動局４ａ，４ｂ，４ｍ，４ｎは音声を出力できる。
【００７０】
なお第１の例において、データは全ての移動局４に送信される。そのため例えば識別番号「１２２３」の移動局４ｄ，４ｅ，４ｐ，４ｑも受信することになる。しかしながらＳｔｅｐ６において桁が一致すると判別部４３に判定されるが（Ｓｔｅｐ６：ＹＥＳ）、Ｓｔｅｐ７のＳｔｅｐ２４において、一致しないと判別される（Ｓｔｅｐ２４：ＮＯ、Ｓｔｅｐ２５、Ｓｔｅｐ７：ＮＯ）。よって移動局４ｄ，４ｅ，４ｐ，４ｑにおいて、音声は出力されず、動作が終了する。
【００７１】
また第２の例として、管理部がグループ番号「０２２４」を付した音声を有するデータを送信し、全ての移動局４がこのデータを受信する。  
Ｓｔｅｐ６乃至Ｓｔｅｐ９における判別処理において、例えば識別番号「１２０４」の移動局４ｆ，４ｒにおける判別部４３は、例えば、グループ番号の地域グループにおける地域を示す桁（上位層）の数字と、識別番号の地域グループにおける地域を示す桁（上位層）の数字が一致するか、判別する（Ｓｔｅｐ６）。
【００７２】
この場合、グループ番号における地域グループにおける地域を示す桁を示す数字は「０」であり、識別番号における地域グループにおける地域を示す桁を示す数字は「１」である。よってＳｔｅｐ６に含まれるＳｔｅｐ２１乃至Ｓｔｅｐ２４において、グループ番号の地域グループにおける地域を示す桁の数字が「０」である、と判別部４３により判別される（Ｓｔｅｐ２１：ＹＥＳ）。これにより、グループ番号の地域グループにおける地域を示す桁（上位層）の数字と、識別番号の地域グループにおける地域を示す桁（上位層）の数字が一致する、と判別部４３により判別され（Ｓｔｅｐ２２、Ｓｔｅｐ６：ＹＥＳ）、Ｓｔｅｐ７に進む。
【００７３】
Ｓｔｅｐ７において、Ｓｔｅｐ２１，２３：ＮＯと判別部４３にて判別され、グループ番号の地域グループにおける地区を示す桁の数字「２」と、識別番号の地域グループにおける地区を示す桁の数字「２」が一致する、と判別部４３により判別される（Ｓｔｅｐ２４：ＹＥＳ）。これにより、グループ番号の地域グループにおける地区を示す桁（下位層）の数字と、識別番号の地域グループにおける地区を示す桁（下位層）の数字が一致する、と判別部４３により判別され（Ｓｔｅｐ２２、Ｓｔｅｐ７：ＹＥＳ）、Ｓｔｅｐ８に進む。
【００７４】
Ｓｔｅｐ８において、Ｓｔｅｐ２１：ＮＯと判別部４３にて判別され、識別番号の地域グループにおける地域を示す桁の数字が「０」である、と判別部４３により判別される（Ｓｔｅｐ２３：ＹＥＳ）。これにより、グループ番号の業務グループにおけるメイン業務を示す桁（上位層）の数字と、識別番号の業務グループにおけるメイン業務を示す桁（上位層）の数字が一致する、と判別部４３により判別される（Ｓｔｅｐ２２、Ｓｔｅｐ８：ＹＥＳ）、Ｓｔｅｐ９に進む。
【００７５】
Ｓｔｅｐ９において、Ｓｔｅｐ２１，２３においてＮＯと判別部４３にて判別され、グループ番号の業務グループにおけるサブ業務を示す桁の数字「４」と、識別番号の業務グループにおけるサブ業務を示す桁の数字「４」が一致する、と判別部４３により判別される（Ｓｔｅｐ２４：ＹＥＳ）。これにより、グループ番号の業務グループにおけるサブ業務を示す桁（下位層）の数字と、識別番号の業務グループにおけるサブ業務を示す桁（下位層）の数字が一致する、と判別部４３により判別され（Ｓｔｅｐ２２、Ｓｔｅｐ９：ＹＥＳ）、Ｓｔｅｐ１０に進む。これにより移動局４ｆ，４ｒにおいて、音声は出力され、動作が終了する。
【００７６】
第２の例においても、データは全ての移動局４に送信される。そのため例えば識別番号「１２２３」の移動局４ｄ，４ｅ，４ｐ，４ｑも受信することになる。しかしながらＳｔｅｐ６乃至Ｓｔｅｐ８において桁が一致すると判別部４３に判定されるが（Ｓｔｅｐ６，８，９：ＹＥＳ）、Ｓｔｅｐ９のＳｔｅｐ２４において、一致しないと判別される（Ｓｔｅｐ２４：ＮＯ、Ｓｔｅｐ２５、Ｓｔｅｐ９：ＮＯ）。よって移動局４ｄ，４ｅ，４ｐ，４ｑにおいて、音声は出力されず、動作が終了する。
【００７７】
また管理部１は、グループ番号を「１０１０」と設定することで、移動局４ａ，４ｂ，４ｃ，４ｍ，４ｎ，４ｏにのみ音声を出力させることができ、グループ番号を「００１１」と設定することで、移動局４ａ，４ｂ，４ｇ，４ｈ，４ｍ，４ｎ，４ｓ，４ｔにのみ音声を出力させることができる。また管理部は、グループ番号を「１０３０」と設定すると、該当する移動局４が存在しないため移動局４は音声を出力しない。
【００７８】
このように本実施形態は、地域，地区情報を示す２つの数字を有する第１グループと、業務情報を示す２つの数字を有する第２のグループに分けた、例えば４桁の数字で形成されるグループ番号を設定する。第１グループと第２のグループにおいて、２つの数字が上位層と下位層と設定され、階層化され、各階層の数字は、例えば地域や地区、メイン業務やサブ業務を示す情報として意味付けされる。また本実施形態は、移動局毎に、移動局４の所在を示す地域情報や地区情報、移動局４の携わるメイン業務情報やサブ業情報務を示し、グループ番号と同様の構成である識別番号を設定させる。送信局である例えば管理部１は、送信するデータに送信先のグループ番号を付加して受信局である全ての移動局４に送信する。受信する各移動局４は、このデータが自局宛かを判別するために、識別番号の各桁（各階層）と、グループ番号の各桁（各階層）を、１桁ずつ（階層毎に）一致するか判別し、全ての桁が一致した際に、データを出力する。つまり本実施形態は、全ての移動局４にグループ番号を付加したデータを送信しても、各桁の数字を意味付けしているグループ番号に対応する識別番号を有する移動局４のみにデータを出力させることができる。
【００７９】
これにより本実施形態は、データを全ての移動局４に送信するが、例えば同じ地域等に配置されていたり、同じ業務等に携わる複数の移動局４ａ，４ｂのみにデータを出力させる際に、例えばこれら移動局４ａ，４ｂの地域情報や業務情報（移動局４ａ，４ｂの識別番号）に対応するグループ番号を設定しデータに付加することで、上述した移動局４ａ，４ｂのみに出力させることができる。よって本実施形態は、例えば同じ地域等に配置されていたり、同じ業務等に携わる複数の移動局４にデータを送信し、出力させる際に、グループ番号を移動局４毎に設定する手間を防止することができるために、通信効率を向上させることができる。
【００８０】
また本実施形態は、複数の移動局４に同一のデータを送信して、出力させる際に、例えば数字「０」を有するグループ番号をデータに付加することで、地域や業務に影響されることなく複数の移動局４に一斉に送信して、出力させることができる。よって本実施形態は、各移動局４に送信する度にグループ番号を付加する必要はない。このように本実施形態は、送信する度に、グループ番号を付加する手間を省略することができるために、通信効率を向上させることができる。
【００８１】
また本実施形態は、識別番号の桁と、グループ番号の桁を操作部２３にて４桁にしたがこれに限定する必要はない。この桁が多いほど、より詳細な情報をデータに付加することができる。例えば１桁増やし、この桁に身障者用車両といった特定の移動局４であることといった、移動局４の種類（車種）を示す移動局種類情報を意味付けする。これにより本実施形態は、より詳細に移動局４にデータを出力させことができ、通信効率を向上させることができる。
【００８２】
また本実施形態は、基地局３ａと基地局３ｂの通信エリア内の構成を略同一としたために、同じグループ番号を用いることで基地局３ａと基地局３ｂ内の移動局４にデータを出力させることができる。しかしこれに限定する必要はなく、本実施形態は、上述したように１桁増やし、この桁に基地局を特定するための基地局情報を意味付けすることで、基地局毎に異なるグループ番号を設定でき、基地局ごとの移動局を指定することができる。これにより本実施形態は、より詳細にデータを出力させる移動局４を指定できるために、通信効率を向上させることができる。  
本実施形態は、Ｓｔｅｐ６と、Ｓｔｅｐ７と、Ｓｔｅｐ８と、Ｓｔｅｐ９の順で、判別処理を行ったが、この順番は、限定されない。また判別部は、各桁を並列して判別処理を行ってもかまわない。
【００８３】
またグループ番号や識別番号は、数字を用いたが、これに限定する必要はなく、例えば文字や記号を用いてもかまわない。また上述したように例えば地域Ａには例えば数字「１」を予め割り振ったが、これに限定する必要はなく、地域グループと業務グループに割り振る数字は、例えば操作部２３，３７によって所望に変更可能である。
【００８４】
また、図１では、回線交換部２と基地局３は、管理部１とは独立した形態であるが、デジタル無線システムの規模に応じて管理部１と回線交換部２と基地局３を一体に構成することもできる。
【００８５】
このように本発明は、実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。
【図面の簡単な説明】
【００８６】
【図１】図１は、本発明のデジタル無線システムの概略構成を示す図である。
【図２】図２は、管理部の内部構成を示す概略図である。
【図３】図３は、移動局の内部構成を示す概略図である。
【図４】図４は、グループ番号と識別番号の構成を示す図である。
【図５】図５は、グループ番号と識別番号において、各桁の数字と数字に対応する意味の対応関係を格納するデータベースを示す図である。
【図６】図６は、移動局と移動局の識別番号の対応関係を格納したデータベースを示す図である。
【図７】図７は、デジタル無線システムの動作方法を示すフローチャートである。
【図８】図８は、図７に示すＳｔｅｐ６乃至Ｓｔｅｐ９における判別方法を示すフローチャートである。
【符号の説明】
【００８７】
１…管理部、２（２ａ，２ｂ）…回線交換部、３（３ａ，３ｂ）…基地局、４…移動局、５ａ，５ｂ…通信エリア、１０…送受信部、１１…受信部、１２…送信部、２０…指令卓、２１…表示部、２２…出力部、２３…操作部、２４…入力部、２５…制御部、２６…記憶部、２６…記憶部、２７…判別部、２８…制御本体部、３１…アンテナ、３２…切替部、３３…受信部、３４…受信処理部、３５…出力部、３６…表示部、３７…操作部、３８…入力部、３９…送信処理部、４０…送信部、４１…制御部、４２…記憶部、４３…判別部、４４…制御本体部。
【図１】
2009077077.tif 000003
【図２】
2009077077.tif 000004
【図３】
2009077077.tif 000005
【図４】
2009077077.tif 000006
【図５】
2009077077.tif 000007
【図６】
2009077077.tif 000008
【図７】
2009077077.tif 000009
【図８】
2009077077.tif 000010